(57)【要約】      （修正有）【課題】誰もが短時間で美しく角だしデザインを再現する為に、装着が簡単な付け帯を提供する。【解決手段】帯の胴部分１とお太鼓部分９を分割し、胴部分は面ファスナーで着脱を容易にし、お太鼓部分は角だしデザインの膨らみを予め結び目として作り、裏面に固定し、角部分１１も分割し、別仕立てしたものを結び目１０内側に差込み、たれ先から１５ｃｍ上を山折りにし、先に固定した結び目の上に重ね縫い留め、山折り内側に帯締め１２を通せるようにし、お太鼓部分全体を支える為の着脱可能な差込みバックル７，８付き紐をお太鼓内側上部に通すことにより課題を解決した。【選択図】図４
0003154435.tif 000002
【実用新案登録請求の範囲】
【請求項１】
和服の帯において、胴部分とお太鼓部分を分割し、胴部分は面ファスナーで着脱を容易にし、お太鼓部分は角だしデザインの膨らみを予め結び目として作り、結び目先端をお太鼓裏面に固定し縫い留め、角部分も分割し別仕立てしたものを先ほど作った結び目内側に差込み、たれ先から１５ｃｍ上を山折りにし、先ほど固定した結び目の上に重ね縫い留め山折り内側に帯締めを通せるようにし、お太鼓部分全体を支える為の着脱可能な差込みバックル付き紐をお太鼓内側上部に通すことを特徴とする角だし付け帯。
【考案の詳細な説明】
【技術分野】
【０００１】  本考案は、装着が簡易な角だしデザインの付け帯に関するものである。
【背景技術】
【０００２】  帯結びの基本であるお太鼓結びの技術を習得出来る着付け教室や専門書にて、着付け上級者向けに変わり結びのひとつとして角だし結びの技術指導がなされてきている。
【考案の概要】
【考案が解決しようとする課題】
【０００３】  しかしながら、着付け教室での訓練や着付け師の指導なくしては日常的に角だし結びの再現が難しく、一度習得した者でも定期的に結ばなければすぐに忘れてしまい、再び結び方を思い出すまで新たな時間と労力と出費を要し、忙しい現代に於いて角だし結びの美しい着姿を簡単な装着にて短時間で実現出来、誰もが繰り返し楽に角だしスタイルのお洒落を楽しめる付け帯デザインの開発が和服業界、消費者双方に切望される課題である。
【課題を解決するための手段】
【０００４】  そこで本考案は、帯の胴部分とお太鼓部分を分割し、胴部分は面ファスナーで着脱を容易にし、お太鼓部分は角だしデザインの膨らみを予め結び目として作り、結び目先端をお太鼓裏面に固定し縫い留め、角部分も分割し別仕立てしたものを先ほど作った結び目内側に差込み、たれ先から１５ｃｍ上を山折りにし、先ほど固定した結び目の上に重ね縫い留め、山折り内側に帯締めを通せるようにし、お太鼓部分全体を支える為の着脱可能な差込みバックル付き紐をお太鼓内側上部に通すことにより、従来の課題を解決した。
【考案の効果】
【０００５】  本考案は、お太鼓結びと浴衣用のリボン結びしか選べなかった付け帯の世界に於いて、人気が高いけれど結び方が難しいと敬遠される角だしを付け帯に出来たことで帯結びの選択肢が広がることはもちろん、フォーマル色の強いお太鼓結び、浴衣限定のリボン結びと比べ、日常着お洒落着として季節に関わらず楽しめ、和服業界の潜在的需要は限りなく広く、着物自体の販売促進需要喚起に大いに繋がるであろう。又、洋服の上からでも簡単に試着出来、通勤帰りやウインドウショッピングのついで買いという需要も望め、予め形が出来ているので、従来の名古屋帯のように畳む際の経験も必要なく、洋服店雑貨店販売員でもすぐに取り扱うことが可能となり、販路は和服業界を超え、大きな装飾ベルトという位置付けも出来る為、ファッション業界の販売形態にも広く影響を与える可能性を秘めている。又、毎回結ぶという布へのダメージも減らせる為、今まで帯として使用出来なかった繊細な布、例えば刺繍がふんだんに施されたものやビーズ等の装飾が使われたもの等、使用出来るテキスタイルの範囲が際限なく広がりファッションを越えたアートとしての表現も可能となり、斜陽化が顕著な和服業界で若いクリエーターの育成にも一役買えることであろう。さらに従来の名古屋帯のように一枚の布を形作りながら結び仕上げるという特殊な技術を要する帯結びに比べ、巻く、留める、結ぶ、のたったスリーステップの本考案は、ハンディキャップの有る人々や年齢とともに和服お洒落から遠ざかってしまった高齢者を再びファッションの世界に誘い、夢を持って活き活きと装って頂ける社会派の衣服としても果たす役割は今後増々広がると予想される。
【考案を実施するための最良の形態】
【０００６】  まず、胴部分を腰に巻き面ファスナーで背面を固定し、予め帯締めと差込みバックル付き紐を通した状態のお太鼓を背中に重ね、差込みバックル付き紐を背中左右から胸前に回し、バックルを結合し引締め固定し、胴部分内側に収め、帯締めを前で結び完了となる。
【実施例】
【０００７】  以下、添付図面に従って、実施例を説明する。図１は請求項１記載の角だし付け帯、胴部分１である。胴に巻き付け背中で面ファスナー２と３、４と５を重ね固定する。【０００８】  図２は請求項１記載のお太鼓部分９を支える着脱可能な紐６に差込みバックル７、８を付けた図。【０００９】  図３は請求項１記載のお太鼓９裏面図である。角だしデザインの要となる膨らみを出す為予め結び目１０を作り、結び目先端をお太鼓裏面に縫い付け固定し、分割し別仕立てした角部分１１を結び目内側に差込み、たれ先から１５ｃｍ上を山折りにし、先ほど固定した結び目１０の上に重ね縫い留め、山折り内側に帯締めを通せるようにする。【００１０】  図４は請求項１記載のお太鼓９裏面図と胴部分１正面図である。お太鼓９に差込みバックル付き紐６と帯締め１２を通し、胴部分１の面ファスナー２、３、４、５を重ねた状態である。【００１１】  図５は請求項１記載の角だし付け帯、背面から見た装着完成図である。
【図面の簡単な説明】
【００１２】
【図１】請求項１の角だし付け帯の胴部分図
【図２】請求項１の差込みバックル付き紐図
【図３】請求項１のお太鼓裏面図
【図４】請求項１のお太鼓裏面図と胴部分正面図
【図５】請求項１の角だし付け帯装着完成図
【符号の説明】
【００１３】１    胴部分
２    面ファスナー
３    面ファスナー
４    面ファスナー
５    面ファスナー
６    紐
７    差込みバックル
８    差込みバックル
９    お太鼓部分
１０  結び目
１１  角部分
１２  帯締め
【図１】
0003154435.tif 000003
【図２】
0003154435.tif 000004
【図３】
0003154435.tif 000005
【図４】
0003154435.tif 000006
【図５】
0003154435.tif 000007
【手続補正書】
【提出日】平成21年7月17日(2009.7.17)
【手続補正１】
【補正対象書類名】実用新案登録請求の範囲
【補正対象項目名】請求項１
【補正方法】変更
【補正の内容】
【請求項１】
和服の帯において、胴に巻く胴部分と背面で結ぶお太鼓部分を分割し、胴部分は面ファスナーで着脱を容易にし、お太鼓部分は角だしデザインの膨らみを予め結び目として作り、結び目先端をお太鼓裏面に固定し縫い留め、角部分も分割し別仕立てしたものを先ほど作った結び目内側に差込み、お太鼓のたれ先から１５ｃｍ上を帯裏生地が上にくるよう山折りに折り、折山から４ｃｍ下でたれ先から１１ｃｍ上の帯巾中央部分を仮留めして折山が動かないよう固定し、お太鼓裏面に縫い留めた結び目の上に、作った折山を重ね、仮留め固定した箇所と結び目との重なる部分を一緒に縫い留め固定し、折山内側に出来た空洞部分に帯締めを自由に通せるようにし、お太鼓部分全体を支える為の着脱可能な差込みバックル付き紐をお太鼓内側上部に通すことを特徴とする角だし付け帯。